(57)【要約】【課題】下柱に対して上柱をより確実に固定でき、容易に組み立てることができる組立式コンクリート柱を提供する。【解決手段】下柱２と、この下柱２の上側に接続される上柱３とを備える。下柱２は、コンクリートにて形成された柱状の下柱コンクリート部４を有する。上柱３は、コンクリートにて形成された柱状の上柱コンクリート部６と、この上柱コンクリート部６の下側に一体に設けられ下柱コンクリート部４を嵌合可能な管状の鋼管部７とを有する。下柱２は、下柱コンクリート部４の外周面に下方へ向けて直線状に形成された凹状に設けられた溝部５を有する。上柱３は、鋼管部７の内周面から突出した留め部10を有する。これら溝部５と留め部10とは、下柱２の下柱コンクリート部４を上柱３の鋼管部７に嵌合した状態にて係合可能である。【選択図】図１
2020128626.tif 000002
【特許請求の範囲】
【請求項１】
コンクリートにて形成された柱状のコンクリート部を有する下柱と、
コンクリートにて形成された柱状のコンクリート部と、このコンクリート部の下側に一体に設けられ前記下柱の前記コンクリート部を嵌合可能な管状の鋼管部とを有する上柱とを具備した組立式コンクリート柱において、
前記下柱は、コンクリート部の外周面に下方へ向けて直線状に形成された凹状の溝部を有し、
前記上柱は、鋼管部の内周面から突出した留め部を有し、
前記溝部と前記留め部とは、前記下柱の前記コンクリート部を前記上柱の前記鋼管部に嵌合した状態にて係合可能である
ことを特徴とする組立式コンクリート柱。
【請求項２】
留め部は、溶接ビードにて形成される
ことを特徴とする請求項１記載の組立式コンクリート柱。
【請求項３】
溝部は、下柱のコンクリート部の上端部から下方へ向けて設けられ、
下柱は、コンクリート部の上端部に設けられた端板を有し、
前記端板の外周面には、前記溝部に対応した凹状の端板溝部が設けられている
ことを特徴する請求項１または２記載の組立式コンクリート柱。
【請求項４】
下柱のコンクリート部は、下方へ向けて漸次径大のテーパ状に形成され、
上柱の鋼管部は、前記下柱の前記コンクリート部に対応したテーパ状に形成されている
ことを特徴とする請求項１ないし３いずれか一記載の組立式コンクリート柱。
【発明の詳細な説明】
【技術分野】
【０００１】
本発明は、上柱と下柱とが接続される組立式コンクリート柱に関する。
【背景技術】
【０００２】
従来、この種の組立式コンクリート柱としては、特許文献１に示すように、下部ポール部分の上端に受圧板が設けられ、上部ポール部分の下端には、下部ポール部分の上端が圧入するように取り付けられたテーパ接続金具が設けられた構成が知られている。
【０００３】
特許文献２には、プレストレストコンクリート製の上柱と、この上柱のテーパ面と連続するテーパ面を有するプレストレストコンクリート製の下柱とを、端面突き合わせ状態で、これら上柱および下柱のテーパ面と同一勾配のテーパ面を内側面に有する鋼管製の継手用テーパ管で嵌着する組立式コンクリート柱が記載されている。
【０００４】
特許文献３には、プレストレストコンクリート製の上柱と、プレストレストコンクリート製の下柱とを、端面突き合わせ状態で、これら上柱の下端面に設けられた端面金具と、下柱の上端面に設けられた端面金具とを、ジョイント金具により連結し、さらにテーパ管で嵌着する組立式コンクリート柱が記載されている。
【０００５】
特許文献４には、鋼管柱等の管体の管体接合装置において、上部管体の下端拡径部の管壁に、中心透孔を設け、この中心透孔に貫挿された押しねじの先端を、上部管体の下端拡径部に嵌入された下部管体の接続端部外周面に圧着することで、接合状態をより強固に固定する構成が記載されている。
【先行技術文献】
【特許文献】
【０００６】
【特許文献１】特開昭５３−１０３６３５号公報
【特許文献２】特開２０１４−１５９５号公報
【特許文献３】特開２０１５−２１２５６号公報
【特許文献４】実開昭６０−１８２５０８号公報
【発明の概要】
【発明が解決しようとする課題】
【０００７】
上述の特許文献１および特許文献２の組立式コンクリート柱は、管状の接続金具で上柱と下柱とを接続するため、容易に組立および設置ができるが、コンクリート部の外側面と鋼管の内側面とが接触するだけであるため、下柱に対して上柱が意図せず回転してしまう可能性がある。また、コンクリート部の外径と鋼管部の内径とを精度良く製造しないと、組立後のがたつきの原因となる。
【０００８】
特許文献３の組立式コンクリート柱では、上柱と下柱とをジョイント金具で連結した上でテーパ管を嵌着するため、上柱および下柱同士が固定されて回転やがたつきが生じにくく、接合箇所の強度も良好であるが、専用の端面金具やジョイント金具やテーパ管を用意する必要があるとともに、組立作業が煩雑であり、コストも上昇する。
【０００９】
特許文献４の組立式の管体は、上部管体と下部管体とを接続した状態で押しねじによって固定するため、組立作業を容易にでき、管体同士を固定して回転やがたつきを防止できるが、圧着されたねじの先端部によって下部管体に傷が生じる可能性がある。
【００１０】
したがって、下柱に対して上柱をより確実に固定して回転やがたつきを防止でき、かつ、容易に組み立てることができる組立式コンクリート柱が求められていた。
【００１１】
本発明はこのような点に鑑みなされたもので、下柱に対して上柱をより確実に固定でき、容易に組み立てることができる組立式コンクリート柱を提供することを目的とする。
【課題を解決するための手段】
【００１２】
請求項１に記載された組立式コンクリート柱は、コンクリートにて形成された柱状のコンクリート部を有する下柱と、コンクリートにて形成された柱状のコンクリート部と、このコンクリート部の下側に一体に設けられ前記下柱の前記コンクリート部を嵌合可能な管状の鋼管部とを有する上柱とを具備した組立式コンクリート柱において、前記下柱は、コンクリート部の外周面に下方へ向けて直線状に形成された凹状の溝部を有し、前記上柱は、鋼管部の内周面から突出した留め部を有し、前記溝部と前記留め部とは、前記下柱の前記コンクリート部を前記上柱の前記鋼管部に嵌合した状態にて係合可能であるものである。
【００１３】
請求項２に記載された組立式コンクリート柱は、請求項１記載の組立式コンクリート柱において、留め部は、溶接ビードにて形成されるものである。
【００１４】
請求項３に記載された組立式コンクリート柱は、請求項１または２記載の組立式コンクリート柱において、溝部は、下柱のコンクリート部の上端部から下方へ向けて設けられ、下柱は、コンクリート部の上端部に設けられた端板を有し、前記端板の外周面には、前記溝部に対応した凹状の端板溝部が設けられているものである。
【００１５】
請求項４に記載された組立式コンクリート柱は、請求項１ないし３いずれか一記載の組立式コンクリート柱において、下柱のコンクリート部は、下方へ向けて漸次径大のテーパ状に形成され、上柱の鋼管部は、前記下柱の前記コンクリート部に対応したテーパ状に形成されているものである。
【発明の効果】
【００１６】
本発明によれば、下柱がコンクリート部の外周面に溝部を有し、上柱が鋼管部の内周面留め部を有し、これら溝部と留め部とが、下柱のコンクリート部を上柱の鋼管部に嵌合した状態にて係合可能であるため、下柱に対して上柱をより確実に固定でき、かつ、容易に組み立てることができる。
【図面の簡単な説明】
【００１７】
【図１】本発明の一実施の形態に係る組立式コンクリート柱の構成を概略的に示す側面図である。
【図２】同上組立式コンクリート柱の組立状態を概略的に示す側面図である。
【図３】同上組立式コンクリート柱における下柱の上面図である。
【図４】同上組立式コンクリート柱における上柱の下面図である。
【発明を実施するための形態】
【００１８】
以下、本発明の一実施の形態の構成について図面を参照しながら詳細に説明する。
【００１９】
図１および図２において、１は組立式コンクリート柱であり、例えば通信用アンテナや照明器具のような機器を設置するための柱等として用いられる。
【００２０】
この組立式コンクリート柱１は、設置面の地中に建て込まれる下柱２と、この下柱２の上側に接続される上柱３とを備えている。すなわち、組立式コンクリート柱１の組立状態では、上柱３が軸方向の一方側である上側に配置され、下柱２が軸方向の他方側である下側に配置されるように上柱３と下柱２とが接続される。
【００２１】
下柱２は、コンクリートにて形成された柱状のコンクリート部としての下柱コンクリート部４を有している。
【００２２】
この下柱コンクリート部４は、上端部から下端部にわたり下方に向かって漸次径大のテーパ状に形成されている。
【００２３】
図１および図３に示すように、下柱コンクリート部４には、その外周面に断面視で凹状で側面視で直線状の溝部５が形成されている。すなわち、この直線状の溝部５は、下柱コンクリート部４の上端部から下方へ向けて設けられている。
【００２４】
溝部５は、下柱コンクリート部４を成形する際に、その型枠内における下柱コンクリート部４の上端に対応する箇所に、例えば金属製の溝部成形部品を設置することで、下柱コンクリート部４の成形にともなって形成される。
【００２５】
なお、下柱２の上端部に図示しない端板が設けられている場合には、端板は、その外周面における溝部５に対応した箇所に、溝部５と連続状になる凹状の端板溝部が設けられた構成が好ましい。
【００２６】
上柱３は、コンクリートにて形成された柱状のコンクリート部としての上柱コンクリート部６と、この上柱コンクリート部６の軸方向の他方側である下側に一体に設けられた管状の鋼管部７とを有している。
【００２７】
上柱コンクリート部６は、上端部から下端部にわたり下方に向かって漸次径大のテーパ状に形成されている。
【００２８】
鋼管部７は、軸方向の一方側である上側に位置し上柱コンクリート部６に一体化された一体成形部８と、軸方向における一体成形部８より他方側である下側に位置する嵌合部９とを有している。
【００２９】
一体成形部８は、上柱３を成形する際に、型枠内の対応する箇所に予め配置されて、上柱コンクリート部６に一体成形されている。すなわち、鋼管部７は、一体成形部８が、上柱３の上柱コンクリート部６と型枠内で一体成形されることにより一体化される。そして、上柱コンクリート部６と一体化された一体成形部８は、その外周面が上柱コンクリート部６の外周面と連続したテーパ状となっている。
【００３０】
嵌合部９は、下柱２の下柱コンクリート部４の上端部に外嵌可能である。すなわち、例えば上柱３を吊り上げた状態から下柱２に向かって下降させることで、鋼管部７の嵌合部９内に下柱２の下柱コンクリート部４が挿入されて嵌着される。
【００３１】
図１および図４に示すように、嵌合部９の内周面には、その内周面から突出し溝部５に係合可能な留め部10が設けられている。
【００３２】
留め部10は、溝部５に対応した幅の直線棒状であり、嵌合部９の下端部から上方へ向けて設けられている。
【００３３】
ここで、鋼管部７が例えば一枚の鋼板にて成形される場合には、その鋼板の両端部を突き合わせてその突き合わせ部を溶接することによって管状に形成される。そして、その溶接によって生じる溶接ビードによって留め部10が構成されることが好ましい。
【００３４】
次に、上記一実施の形態の作用および効果を説明する。
【００３５】
上記組立式コンクリート柱１を施工する際には、まず、設置面である地中に下柱２を建て込む。
【００３６】
また、上柱３を例えば建柱車等によって吊り上げ、下柱２の溝部５の位置に上柱３の留め部10の位置を合わせるように下柱２に対して上柱３の位置決めした状態で、上柱３の鋼管部７における嵌合部９内に下柱２の上端部を挿入するように上柱３を下降させる。
【００３７】
この上柱３の下降に伴って、溝部５内を留め部10が下方へ進行するように移動するととともに、上柱３の嵌合部９のテーパ状の内周面が、略同一勾配の下柱２の下柱コンクリート部４の外周面に密着して嵌着される。すなわち、下柱２の下柱コンクリート部４と上柱３の鋼管部７とが嵌合されて下柱２と上柱３とが接続された状態（組立状態）では、溝部５と留め部10とが係合されている。
【００３８】
そして、上記組立式コンクリート柱１によれば、下柱２が下柱コンクリート部４の外周面に溝部５を有し、上柱３が鋼管部７の内周面に留め部10を有し、下柱コンクリート部４を鋼管部７に嵌合した状態にて、溝部５と留め部10とが係合可能であるため、組立状態では、下柱コンクリート部４と鋼管部７とが嵌着されるだけでなく、溝部５と留め部10とが係合されて、下柱２に対して上柱３をより確実に固定でき、例えば下柱２に対する上柱３の回転やがたつきを防止できる。
【００３９】
また、上柱３を吊り上げ、溝部５と留め部10との位置を合わせて、上柱３の鋼管部７内に下柱コンクリート部４が挿入されるように上柱３を下降するだけで、下柱コンクリート部４と嵌合部９とを嵌着できるとともに、溝部５と留め部10とを係合でき、容易に組み立てることができる。
【００４０】
また、鋼板を用いて鋼管部７を形成する際の溶接ビードにて留め部10を構成することで、留め部10を形成するための材料や器具等を用意する必要がなく、また、最小限の作業数で効率的に製造できる。
【００４１】
溝部５は、下柱コンクリート部４の上端部から下方へ向けて直線状に形成されていることで、上柱３と下柱２とを接続する際に、下柱２に対して上柱３を真直ぐ下降させるだけで溝部５と留め部10とを係合できるので、作業が複雑化せず、容易に組立作業を行うことができる。
【００４２】
下柱２の上端部に設けられた端板に、溝部５に対応した端板溝部が設けられることで、下柱２と上柱３とを接続する際に、留め部10が端板溝部を通過して溝部５と係合するため、端板によって溝部５と留め部10との係合が妨げられず、容易に組立作業を行うことができる。
【００４３】
下柱コンクリート部４が下方へ向けて漸次径大のテーパ状に形成され、鋼管部７が下柱コンクリート部４に対応したテーパ状に形成されていることで、下柱２と上柱３とを接続する際に、鋼管部７内に下柱コンクリート部４を挿入しやすく、容易に組立作業を行うことができる。
【００４４】
なお、上記一実施の形態では、下柱コンクリート部４、上柱コンクリート部６および鋼管部７をテーパ状の構成としたが、このような構成には限定されず、下柱コンクリート部４と鋼管部７とが嵌合可能な構成であればよい。
【００４５】
溝部５は、下柱コンクリート部４の上端部から下方へ向けて形成された構成には限定されず、下柱コンクリート部４と鋼管部７とが嵌合した状態で留め部10と係合可能な構成であれば、その配置は適宜変更できる。
【００４６】
また、下柱コンクリート部４の外周に溝部５が１つだけ設けられた構成には限定されず、溝部５の数は適宜決定できる。
【００４７】
留め部10は、溶接ビードにて形成された構成には限定されず、下柱コンクリート部４と鋼管部７とが嵌合した状態で溝部５に係合可能な構成であればよい。
【符号の説明】
【００４８】
１    組立式コンクリート柱
２    下柱
３    上柱
４    コンクリート部としての下柱コンクリート部
５    溝部
６    コンクリート部としての上柱コンクリート部
７    鋼管部
10    留め部
【図１】
2020128626.tif 000003
【図２】
2020128626.tif 000004
【図３】
2020128626.tif 000005
【図４】
2020128626.tif 000006